(57)【要約】【課題】液体を吸収することにより復元し、復元後にしわの発生が抑制され、さらに使用感が良好である圧縮マスクを提供する。【解決手段】本発明の圧縮マスクは、シート状のスポンジを圧縮してなり、常圧において圧縮された状態を維持している。さらに、本発明の圧縮マスクは、液体を吸収して復元し、連続気孔を有するものであり、乾燥時自重の５倍以上の質量の水を吸収することが好ましい。【選択図】図１
2015144708.tif 000002
【特許請求の範囲】
【請求項１】
圧縮マスクであって、
シート状のスポンジからなるマスクを圧縮してなり、
常圧において圧縮された状態を維持しており、
液体を吸収して復元し、
連続気孔を有する、圧縮マスク。
【請求項２】
乾燥時自重の５倍以上の質量の水を吸収する、請求項１に記載の圧縮マスク。
【請求項３】
乾燥時自重の５倍以上の質量のアルコールを吸収し、前記アルコールの濃度は９８質量％以下である、請求項１又は２に記載の圧縮マスク。
【請求項４】
気孔率が７０％以上９８％以下である、請求項１〜３の何れか１項に記載の圧縮マスク。
【請求項５】
前記シート状のスポンジが、多糖類、又はポリビニルアルコールを主成分とする材質からなる、請求項１〜４の何れか１項に記載の圧縮マスク。
【請求項６】
水を吸収した場合の復元率が８５％以上である、請求項１〜５の何れか１項に記載の圧縮マスク。
【請求項７】
請求項１〜６の何れか１項に記載の圧縮マスクを製造する方法であって、
シート状のスポンジからなるマスクを２％〜５０％の圧縮比率で圧縮する工程を含む、圧縮マスクの製造方法。
【請求項８】
請求項１〜６の何れか１項に記載の圧縮マスクを使用する方法であって、
前記圧縮マスクに液体を吸収させて８５％以上の復元率でシート状のスポンジからなるマスクに復元させる工程を含む、圧縮マスクの使用方法。
【請求項９】
前記復元させる工程を経た後の前記マスクの厚さが０．１ｍｍ以上５．０ｍｍ以下である、請求項８に記載の圧縮マスクの使用方法。
【発明の詳細な説明】
【技術分野】
【０００１】
本発明は、圧縮マスク（例えば、圧縮成型されたフェイスマスク、デコルテマスク、首マスク、手マスク、又は足マスクのような体の表面を被覆するマスク）、その製造方法、及びその使用方法に関する。
【背景技術】
【０００２】
近年、不織布を圧縮してなる美容用の各種マスクが利用されている。使用者は、この圧縮された状態の美容用各種マスクを、美容用液体（例えば、化粧水又は美容液）を含浸させて吸液させることにより復元させて、シート状態の各種マスクとする。そして、この復元された各種マスクを用いて顔面、胸部、首、腕、又は足などを被覆して、マスク中に含有された液体を体の各部位の皮膚に供給する。（以下、各種マスクを単に「マスク」と称する。）このような美容用マスクとして、例えば、合成繊維の不織布からなるフェイスマスクが知られている（特許文献１）。
【先行技術文献】
【特許文献】
【０００３】
【特許文献１】特開２０００−２８７７５１号公報
【発明の概要】
【発明が解決しようとする課題】
【０００４】
しかしながら、特許文献１に記載されたフェイスマスクの使用においては、吸液して復元する際に、しわ又は破損が発生する。そのため、このフェイスマスクを顔面へ被覆させる際の密着性が不十分であり、さらには、復元後の風合い又は使用感も良好であるとは言い難い。顔以外の部位に使用するマスクにおいても同様の問題がある。
【０００５】
本発明は、上記課題に鑑みてなされたものであり、その目的は、液体を吸収及び保持することにより体積が増加して復元可能であり、復元時のしわ又は破損の発生が抑制され、さらに復元後の風合い又は使用感が良好である圧縮マスク、その製造方法、及びその使用方法を提供することにある。
【課題を解決するための手段】
【０００６】
本発明の圧縮マスクはシート状のスポンジからなるマスクを圧縮してなる。本発明の圧縮マスクは、常圧において圧縮された状態を維持し、液体を吸収して復元するものであり、さらに、連続気孔を有する。
【０００７】
ある実施形態において、前記圧縮マスクは、乾燥時自重の５倍以上の質量の水を吸収する。
【０００８】
ある実施形態において、前記圧縮マスクは、乾燥時自重の５倍以上の質量のアルコールを吸収し、前記アルコールの濃度は９８質量％以下である。
【０００９】
ある実施形態において、前記圧縮マスクは、気孔率が７０％以上９８％以下である。
【００１０】
ある実施形態において、前記シート状のスポンジは、多糖類、又はポリビニルアルコールを主成分とする材質からなる。
【００１１】
ある実施形態において、前記圧縮マスクは、水を吸収した場合の復元率が８５％以上である。
【００１２】
前記圧縮マスクを製造する方法は、前記シート状のスポンジからなるマスクを２％〜５０％の圧縮比率で圧縮する工程を含む。
【００１３】
前記圧縮マスクを使用する方法は、前記圧縮マスクに液体を吸収させて８５％以上の復元率でシート状のスポンジからなるマスクに復元させる工程を含む。
【００１４】
前記圧縮マスクを使用する方法において、前記復元させる工程を経た後の前記マスクの厚さは０．１ｍｍ以上５．０ｍｍ以下である。
【発明の効果】
【００１５】
本発明の圧縮マスクは、液体を吸収及び保持することにより体積が増加して復元し得るものであり、復元した時のしわ又は破損の発生が抑制され、さらには復元後の風合い又は使用感がきわめて良好である。
【図面の簡単な説明】
【００１６】
【図１】本発明の実施形態における圧縮マスクの一例である圧縮フェイスマスクを示す図である。
【図２】図１で示される圧縮フェイスマスクに、水を吸収及び保持させて復元させたシート状フェイスマスクを示す図である。
【図３】図２で示される復元したシート状フェイスマスクの使用状態を示す図である。
【発明を実施するための形態】
【００１７】
以下、本発明による圧縮マスク、その製造方法、及びその使用方法の実施形態を説明する。ただし、本発明は以下の実施形態に限定されるものではない。
【００１８】
本実施形態の圧縮マスクは、シート状のスポンジからなるマスクを圧縮してなる。さらに、本実施形態の圧縮マスクは、常圧において、圧縮された状態を維持しており、美容用液体（例えば、化粧水又は美容液）を吸収及び保持して復元する。圧縮対象のシート状のスポンジ素材及び圧縮マスクは、個々の気孔が連続しており、いわゆる連続気孔の多孔質体である。
【００１９】
本実施形態の圧縮マスクは、圧縮された状態の連続気孔に液体が供給されて、この液体を吸収及び保持することにより、圧縮前の状態のシート状マスクに復元する。また、連続気孔を有することにより水との接触面積が大きくなるため、復元性が良好である。
【００２０】
圧縮対象であるシート状のスポンジからなるマスクは、例えば、合成の材質（ポリエチレン、ポリエステル、塩化ビニル、又はポリビニルアルコール）を主成分とするものであってもよいし、天然材質（綿、毛、又は多糖類（例えば、セルロース又はコンニャクマンナン））を主成分とするものであってもよい。シート状マスクの材質としては、強度に優れ、低剛性及び低弾性であるため圧縮が容易であり、さらに吸液後の復元性に優れるため、多糖類、又はポリビニルアルコールが好ましい。スポンジの材質としては優れた親水性に起因して吸液性及び保液性に優れ、ひいては復元性に優れるため、ポリビニルアルコールがより好ましい。
【００２１】
これらのスポンジを、適宜な手法を用いてシート状に切断又は形成することにより、圧縮対象であるシート状のマスクを得ることができる。
【００２２】
多糖類からなるスポンジは、パルプやコンニャク芋を主原料として製造される。つまり、パルプに含まれるセルロース又はコンニャク芋に含まれるコンニャクマンナンを、粉砕した後溶媒に溶解し、次いで、例えば凝固のような形成工程において発泡させることで、連続気孔を有する多糖類からなるスポンジが製造される。
【００２３】
ポリビニルアルコールからなるスポンジは、以下のような手法で製造される。つまり、ポリビニルアルコール水溶液にアセタール化剤、及び反応触媒を添加して加熱することにより反応させ、未反応の材料を洗浄により除去することでポリビニルアルコールからなるスポンジが製造される。
【００２４】
圧縮対象であるシート状マスクには、本発明の効果を損なわない範囲で、必要に応じて、顔料、防腐剤、又は抗菌剤のような添加剤が含有されていてもよい。
【００２５】
本実施形態の圧縮マスクは、吸液性及び保液性に非常に優れるものであり、具体的には、乾燥時自重の５倍以上の質量の液体（例えば、水、又はアルコール）を吸収及び保持することが可能である。このような優れた吸液性及び保液性を有するため、本実施形態の圧縮マスクは、美容用液体を吸収及び保持することによる復元性に優れ、さらに、復元時のしわ又は破損の発現が抑制される。
【００２６】
なお、圧縮マスクの材質、圧縮対象であるシート状マスクの気孔率などを制御することにより、乾燥時自重の５倍以上の質量の液体を吸収及び保持し得る圧縮マスクを得ることができる。
【００２７】
本実施形態の圧縮マスクは、上述のように、液体を吸収及び保持することによる復元性に優れるものであり、具体的には、水を使用して復元した場合の復元率は、８５％以上であることが好ましい。なお、本明細書及び特許請求の範囲において、復元率とは、圧縮前のシート状マスクの体積（液体吸収時）に対する、圧縮後に液体を吸収して復元されたシート状マスクの体積（液体吸収時）の比率である。
【００２８】
また、本実施形態の圧縮マスクについて、液体を吸収及び保持することによる復元性の別の指標として、濃度が９８質量％以下であるアルコールを使用して復元した場合の復元率も、８５％以上であることが好ましい。
【００２９】
圧縮マスクの気孔率は、７０％以上９８％以下であることが好ましい。気孔率が７０％以上９８％以下であると、圧縮に耐えうる強度を発現させることが可能であり、さらには液体を吸収及び保持することによる復元性に優れる圧縮マスクを得ることができる。
【００３０】
本実施形態の圧縮マスクは、シート状のスポンジからなるマスクを重ねたり折り畳んだりして、例えば、円柱状に圧縮したものである。また、本実施形態の圧縮マスクは、身体の各部分（例えば、顔面、デコルテ、首、腕、又は足）を被覆させ得る形状を有する。つまり、フェイスマスク、デコルテマスク、首マスク、手マスク、又は足マスクとして使用することができる。そして、圧縮マスク中に含有された液体を身体の各部分の皮膚に供給することができる。
【００３１】
なお、圧縮マスクに吸収及び保持させる美容用液体は、一般に、水及びアルコールを含有する。
【００３２】
本実施形態の圧縮マスクの一例である圧縮フェイスマスクの具体的な態様について、図１〜３を参照して説明する。図１は、圧縮フェイスマスクを示す図である。圧縮フェイスマスク１は、シート状のスポンジからなるフェイスマスクを適切なサイズに折り畳んだ後に、図１に示すように、円柱状（コイン状）に圧縮形成されている。
【００３３】
図２は、図１で示された圧縮フェイスマスクが液体を吸収し保持することにより復元し、再びシート状となったフェイスマスク２（つまり、復元後のフェイスマスク）を示す図である。図２に示すように、フェイスマスク２は、フェイスマスク本体２１と鼻部２２とを備えており、さらに、開口鼻部２３、開口唇部２５、及び開口眼部２４を有する。フェイスマスク本体２１と鼻部２２とは、同一平面上に存在する。
【００３４】
フェイスマスク本体２１は、コストを低減させるために、１枚のシート材によって形成されてもよい。また、フェイスマスク本体２１は、多くの使用者の顔面の形状に追随可能であるように、上下又は左右に配置される複数枚のシート材を合わせることによって形成されてもよい。また、複数の切り込み部又は切欠き部が形成されていてもよい。
【００３５】
図３は、図２で示された復元後のフェイスマスク２の使用状態を示す斜視図である。具体的には、使用者がフェイスマスク２を使用する場合、フェイスマスク本体２１を顔面に密着させて、顔面の皮膚を被覆する。その際、突出した鼻を開口鼻部２３から露出させる。鼻部２２は、使用者の鼻の形状に合わせて変形し、使用者の鼻を被覆する。そして、開口唇部２４、及び開口眼部２４からは、それぞれ、使用者の唇と眼とが露出する。
【００３６】
本実施形態の圧縮マスクの製造方法について、以下に説明する。すなわち、シート状のスポンジからなるマスクを、例えば、円柱状、又は円盤状の圧縮塊に圧縮し、本実施形態の圧縮マスクを製造することができる。シート状のマスクが低剛性であり低弾性である素材からなるものであると、容易に圧縮することができる。
【００３７】
本実施形態の圧縮マスクの製造方法は、シート状のスポンジからなるマスクを、２％〜５０％の圧縮比率で圧縮する工程（圧縮工程）を含む。圧縮比率とは、圧縮工程に付される前のマスクの体積に対する、圧縮工程を経た後のマスクの体積の比率である。圧縮比率が５０％を超えると、圧縮マスクを成形することができない。一方、圧縮比率が２％未満であると、マスクを構成するスポンジに含有される気孔が破壊されてしまうため、吸液及び保液による復元を良好に行うことができない。また、圧縮工程においては、圧縮比率が異なる複数回の圧縮を段階的に行ってもよい。
【００３８】
圧縮工程に付される前のマスクは、所望のサイズ又は形状に裁断されている。又は、圧縮工程に付される前のマスクは、必要に応じて、折り畳まれたり、又は塊状にまとめられたりしてもよい。
【００３９】
圧縮工程に付される前のマスクの厚さは、用途によって適宜に選択できる。
【００４０】
圧縮工程に付される前のマスクの気孔率は、圧縮容易性、又は復元後の風合い若しくは使用感に優れるため、７０％以上９８％以下であることが好ましい。
【００４１】
圧縮工程に付される前のマスクの気孔径は、圧縮容易性、又は復元後の風合い若しくは使用感に優れるため、１０００μｍ以下であることが好ましい。
【００４２】
本実施形態の圧縮マスクの使用方法について、以下に説明する。すなわち、本実施形態の使用方法は、上述のような圧縮マスクに液体を吸収させることにより、８５％以上の復元率でマスクを復元させる工程（復元工程）を含む。
【００４３】
復元工程を経た後のマスク（復元後のマスク）の厚さは、復元後の風合い又は使用感に優れるため、０．１ｍｍ以上５．０ｍｍ以下であることが好ましい。
【実施例】
【００４４】
以下、実施例を用いて本発明をさらに具体的に説明する。なお、本発明はこの実施例の範囲に何ら限定されない。
【００４５】
（実施例１）
圧縮対象のマスクとして、シート状のポリビニルアルコール製スポンジ（アイオン株式会社製の「ベルイーター」（厚さ：１０００μｍ）から直径１８ｍｍの円盤を打ち抜いたもの）を準備した。このマスクを重ねて２０ｍｍの高さとし、有底円筒（塩化ビニル製、内径：２０ｍｍ、深さ３０ｍｍ）に投入した後、ピストン（直径：１９ｍｍ）を挿入して卓上バイスで圧縮した（一次圧縮）。次いで、一次圧縮後のマスクを円柱状に圧縮して（二次圧縮）、実施例１の圧縮マスク（底面の半径：１８ｍｍ、高さ：４ｍｍ）を得た。実施例１の圧縮マスクを得る際の圧縮比率は２０％であった。
【００４６】
（実施例２）
圧縮対象のマスクとして、ブロック状のセルロース製スポンジ（東レ株式会社製、商品名「東レセルローススポンジ」）を４ｍｍの厚さにスライスし、次いで、実験例１と概ね同様の方法で打ち抜いたものを準備した。このマスクを、圧縮比率を１０％とした以外は実施例１と概ね同様の方法で圧縮し、実施例２の圧縮マスクを得た。
【００４７】
（実施例３）
圧縮対象のマスクとして、塊状のコンニャク製スポンジ（有限会社山本農場製、商品名「こんにゃくスポンジ」）を４ｍｍの厚さのシートにスライスし、次いで、実施例１と概ね同様の方法で打ち抜いたものを準備した。このマスクを、圧縮率を２５％とした以外は実施例１と概ね同様の方法で圧縮し、実施例３の圧縮マスクを得た。
【００４８】
（比較例１）
圧縮対象のマスクとして、ブロック状のウレタン製スポンジ（市販のウレタンスポンジたわし）を４ｍｍの厚さにスライスし、次いで、実施例１と概ね同様の方法で打ち抜いたものを準備した。このマスクを実施例１と概ね同様の方法で圧縮しようとしたが、スポンジの反発で円柱状にならず、圧縮マスクを得ることができなかった。
【００４９】
（比較例２）
圧縮対象のマスクとして、円柱状のシリコン製スポンジ（信越ポリマー株式会社製、商品名「シリコセン」）を４ｍｍの厚さにスライスし、次いで、実施例１と概ね同様の方法で打ち抜いたものを準備した。このマスクを実施例１と概ね同様の方法で圧縮しようとしたが、スポンジの反発で円柱状にならず、圧縮マスクを得ることができなかった。
【００５０】
（比較例３）
圧縮対象のマスクとして、セルロース製の不織布（日清紡株式会社製のスパンレース不織布、商品名「ＡＰ２０４０」、目付：４０ｇ／ｍ3）からなるシート状フェイスマスクを準備した。このフェイスマスクを実施例１と概ね同様の方法で圧縮し、比較例３の圧縮マスクを得た。
【００５１】
実施例１〜３及び比較例３にて得られた圧縮マスクに関し、測定方法又は評価方法は、以下の通りである。
【００５２】
（１）復元性（吸水による復元率）
約５０ｍｌの水が入った容器を準備した。この容器に、実施例又は比較例にて得られた圧縮マスクを常温かつ常圧下で投入し、５分間放置して水を含浸させることによりシート状のマスクに復元した。また、約５０ｍｌの水が入った容器を別途準備し、圧縮前のマスクに水を含浸させた。圧縮後に復元されたマスクの体積（吸水時）、及び圧縮前のマスクの体積（吸水時）を各々測定した。下記式により、圧縮の影響を知るために吸水による復元率を求めた。
復元率（％）＝｛（圧縮後に復元されたマスクの体積（吸水時））／（圧縮前のマスクの体積（吸水時））｝×１００
【００５３】
（２）復元性（アルコール吸収による復元率）
約５０ｍｌのアルコール（濃度：９０質量％）が入った容器を準備した。この容器に、実施例又は比較例にて得られた圧縮マスクを常温かつ常圧下で投入し、５分間放置してアルコールを含浸させることによりシート状のマスクに復元した。また、約５０ｍｌのアルコール（濃度：９０質量％）が入った容器を別途準備し、圧縮前のマスクにアルコールを含浸させた。圧縮後に復元されたマスクの体積（アルコール吸収時）、及び圧縮前のマスクの体積（アルコール吸収時）を各々測定した。下記式により、圧縮の影響を知るためにアルコール吸収による復元率を求めた。
復元率（％）＝｛（圧縮後に復元されたマスクの体積（アルコール吸収時））／（圧縮前のマスクの体積（アルコール吸収時）｝×１００
【００５４】
（３）液体吸収性（吸水率）
５０ｍｌの水が入った容器を準備した。この容器に、実施例又は比較例にて得られた圧縮マスクかつ常圧下で投入し、５分間放置して水を含浸させることによりシート状のマスクに復元した。復元後（吸水時）のマスクの質量、及び復元前の圧縮マスクの質量（乾燥時）を各々測定し、両者の差から吸収した水の質量を求め、下記式により吸水率を求めた。
吸水率（％）＝｛（吸収した水の質量）／（復元前の圧縮マスクの質量）｝×１００
【００５５】
（４）液体吸収性（アルコール吸収率）
５０ｍｌのアルコール（濃度：９０質量％）が入った容器を準備した。この容器に、実施例及び比較例にて得られた圧縮マスクを常温かつ常圧下で投入し、５分間放置してアルコールを含浸させることによりシート状のマスクに復元した。復元後（アルコール吸収時）のマスクの質量、及び復元前の圧縮マスクの質量（乾燥時）を各々測定し、両者の差から吸収したアルコールの質量を求め、下記式によりアルコール吸収率を求めた。
アルコール吸収率（％）＝｛（吸収したアルコールの質量）／（復元前の圧縮マスクの質量）｝×１００
【００５６】
（５）しわ抑制性
１００ｍｌの水が入った容器を準備した。この容器に実施例及び比較例にて得られた圧縮マスクを常温かつ常圧下で投入し、５分間放置して水を含浸させることにより、シート状のマスクに復元した。復元後のマスクについて、１０人のモニターによる目視評価を行い、以下の基準で評価した。
○（良い）：８人以上１０人以下のモニターが「しわの発現が抑制されている」と判定した。
△（普通）：５人以上７人以下のモニターが「しわの発現が抑制されている」と判定した。
×（良くない）：４人以下のモニターが「しわの発現が抑制されている」と判定した。
【００５７】
（６）使用感
１００ｍｌの水が入った容器を準備した。この容器に実施例及び比較例にて得られた圧縮マスクを常温かつ常圧下で投入し、５分間放置して水を含浸させることにより、シート状のマスクに復元した。復元後のマスクについて、１０人のモニターによるハンドリング評価を行い、以下の基準で評価した。
○（良い）：８人以上１０人以下のモニターが「風合いが柔らかで使用感が良い」と判定した。
△（普通）：５人以上７人以下のモニターが「風合いが柔らかで使用感が良い」と判定した。
×（良くない）：４人以下のモニターが「風合いが柔らかで使用感が良い」と判定した。
【００５８】
実施例及び比較例にて得られた圧縮マスクの評価結果を表１にまとめて示す。
【００５９】
【表１】
2015144708.tif 000003
なお、表１において「※１」は、セルロース製スポンジではなくセルロース製不織布を圧縮して、圧縮マスクを製造したことを示す。また、実施例２及び実施例３においては、圧縮マスクはアルコール吸収によっては復元しなかったため、アルコール吸収による復元率を算出しなかった。
【００６０】
表１から明らかなように、本発明の圧縮マスクは、液体により復元した後のしわの発生が抑制されており、風合いが柔らかで使用感が良好であった。
【産業上の利用可能性】
【００６１】
本発明の圧縮マスクは、美容用液体により復元する美容用マスクに適用することができる。
【符号の説明】
【００６２】
１      圧縮フェイスマスク
２      復元後のフェイスマスク
２１    フェイスマスク本体
２２    鼻部
２３    開口鼻部
２４    開口眼部
２５    開口唇部
【図１】
2015144708.tif 000004
【図２】
2015144708.tif 000005
【図３】
2015144708.tif 000006
【手続補正書】
【提出日】平成26年12月5日(2014.12.5)
【手続補正１】
【補正対象書類名】明細書
【補正対象項目名】００１０
【補正方法】変更
【補正の内容】
【００１０】
ある実施形態において、前記シート状のスポンジは、多糖類、又はポリビニルホルマールを主成分とする材質からなる。
【手続補正２】
【補正対象書類名】明細書
【補正対象項目名】００２０
【補正方法】変更
【補正の内容】
【００２０】
圧縮対象であるシート状のスポンジからなるマスクは、例えば、合成の材質（ポリエチレン、ポリエステル、塩化ビニル、又はポリビニルホルマール）を主成分とするものであってもよいし、天然材質（綿、毛、又は多糖類（例えば、セルロース又はコンニャクマンナン））を主成分とするものであってもよい。シート状マスクの材質としては、強度に優れ、低剛性及び低弾性であるため圧縮が容易であり、さらに吸液後の復元性に優れるため、多糖類、又はポリビニルホルマールが好ましい。スポンジの材質としては優れた親水性に起因して吸液性及び保液性に優れ、ひいては復元性に優れるため、ポリビニルホルマールがより好ましい。
【手続補正３】
【補正対象書類名】明細書
【補正対象項目名】００２３
【補正方法】変更
【補正の内容】
【００２３】
ポリビニルホルマールからなるスポンジは、以下のような手法で製造される。つまり、ポリビニルアルコール水溶液にアセタール化剤、及び反応触媒を添加して加熱することにより反応させ、未反応の材料を洗浄により除去することでポリビニルホルマールからなるスポンジが製造される。
【手続補正４】
【補正対象書類名】明細書
【補正対象項目名】００４５
【補正方法】変更
【補正の内容】
【００４５】
（実施例１）
圧縮対象のマスクとして、シート状のポリビニルホルマール製スポンジ（アイオン株式会社製の「ベルイーター」（厚さ：１０００μｍ）から直径１８ｍｍの円盤を打ち抜いたもの）を準備した。このマスクを重ねて２０ｍｍの高さとし、有底円筒（塩化ビニル製、内径：２０ｍｍ、深さ３０ｍｍ）に投入した後、ピストン（直径：１９ｍｍ）を挿入して卓上バイスで圧縮した（一次圧縮）。次いで、一次圧縮後のマスクを円柱状に圧縮して（二次圧縮）、実施例１の圧縮マスク（底面の半径：１８ｍｍ、高さ：４ｍｍ）を得た。実施例１の圧縮マスクを得る際の圧縮比率は２０％であった。
【手続補正５】
【補正対象書類名】特許請求の範囲
【補正対象項目名】請求項５
【補正方法】変更
【補正の内容】
【請求項５】
前記シート状のスポンジが、多糖類、又はポリビニルホルマールを主成分とする材質からなる、請求項１〜４の何れか１項に記載の圧縮マスク。